(57)【要約】【課題】  構造が簡単で、ピストンリング、特にサイドリングを拡径する際のサイドリングのゆがみを防止したピストンリングの組付け治具を提供することを課題とする。【解決手段】  カップ２９５は、一方２２４に端部材２０４と連結する連結部２２５を備え、且つ第１サイドリングの内径とほぼ等しい外径Ｄｓ１を備えた第１ストレート部３０５と、この第１ストレート部３０５に連続した第１テーパ部３０６と、この第１テーパ部３０６に連続した第２ストレート部３０７と、この第２ストレート部３０７に連続した第２テーパ部３０８と、この第２テーパ部３０８に連続した第３ストレート部３１１と、第１テーパ部３０６の外面３１２から第３ストレート部３１１の外面３１３に連ね、ピストンリングの両端部としての合い口３３の軌跡に倣って形成した両端部（合い口）３３を径の内方に逃がす逃がし溝３１５と、からなる。【選択図】      図５
2006043831.tif 000002
【特許請求の範囲】
【請求項１】
ピストンのリング溝にピストンリングを組付ける際に、ピストンリングの径を拡径するピストンリングの組付け治具であって、
下部に、供給された複数のピストンリングを保持するマガジンの端部材と連結する連結部を備え、且つピストンリングの内径とほぼ等しい外径を備えた第１ストレート部と、
この第１ストレート部に連続し、第１ストレート部の上方に向かって移動するピストンリングを拡径する第１テーパ部と、
この第１テーパ部に連続し、第１テーパ部によって拡径したピストンリングの径をそのまま保持する第２ストレート部と、
この第２ストレート部に連続し、第２ストレート部で保持していたピストンリングの径より更にピストンリングの径を拡径する第２テーパ部と、
この第２テーパ部に連続し、第２テーパ部によって拡径したピストンリングの径をそのまま保持する第３ストレート部と、
第１テーパ部の外面から第３ストレート部の外面に連ね、ピストンリングが拡径するのに伴い次第に離れるピストンリングの両端部の軌跡に倣って形成した両端部を径の内方に逃がす逃がし溝と、からなることを特徴とするピストンリングの組付け治具。
【請求項２】
前記第１テーパ部は、第２テーパ部より長尺であることを特徴とする請求項１記載のピストンリングの組付け治具。
【請求項３】
前記第２テーパ部は、第３ストレート部より長尺であることを特徴とする請求項１記載のピストンリングの組付け治具。
【請求項４】
第１テーパ部の傾斜角をθ１とし、第２テーパ部の傾斜角をθ２としたときに、傾斜角θ２は、θ２≦θ１であることを特徴とする請求項１記載のピストンリングの組付け治具。
【発明の詳細な説明】
【技術分野】
【０００１】
本発明は、ピストンの溝に組付けるサイドリングなどのリングを積層した状態で保持するとともに、積層した状態のリングが押出される際に、テーパによってリングを拡径しつつピストンの溝まで導くピストンリングの組付け治具に関するものである。
【背景技術】
【０００２】
ピストンの溝にピストンリングを組付ける場合に、ピストンにピストンリングが干渉しないように、ピストンリングを拡径させる技術がある（例えば、特許文献１参照。）。
【０００３】
【特許文献１】特許第２９５８６６９号公報（第８頁、図１）
【０００４】
特許文献１を次図に基づいて説明する。
図８は、従来の技術の基本構成を説明する図であり、従来の「ピストンに対する組オイルリングの組付装置」は、図下のパレット４０１上のピストンにガイド部材４０２を嵌め、マガジン４０３に積層したスペーサリングＳを１個だけ切出し機構４０４でガイド部材４０２の小径部４０５まで下げ、その次に、マガジン４０６に積層したサイドレールリングＲを２個だけ切出し機構４０４でガイド部材４０２の小径部４０５まで下げ、更に、３個のリングをアーム状押圧部材４０７でテーパ部４０８を介して大径部４０９まで押し下げる。
【０００５】
最後に、ステーション４１１に備えたカップ状の押圧部材４１２、スリーブ４１３、シリンダ４１４，４１５などの機構でガイド部材４０２の下のピストンに３個のリングを組付けるものであり、このように、ピストンにガイド部材４０２を嵌め、ステーション４１６〜４１８，４１１に順にピストンを搬送するので、各リング毎に個別のガイド部材４０２を設ける必要がない。
【０００６】
しかし、特許文献１の組オイルリングの組付装置では、３個のリングをステーション４１８，４１１で同時に扱うため、装置構成は複雑になる。特に、ステーション４１１では、サイドレールリングＲを最大に拡径しながら、拡径の際に生じるサイドレールリングＲ（サイドリング）のたわみを抑制する必要があり、構造はより複雑である。
【発明の開示】
【発明が解決しようとする課題】
【０００７】
本発明は、構造が簡単で、ピストンリング、特にサイドリングを拡径する際のサイドリングのゆがみを防止したピストンリングの組付け治具を提供することを課題とする。
【課題を解決するための手段】
【０００８】
請求項１に係る発明は、ピストンのリング溝にピストンリングを組付ける際に、ピストンリングの径を拡径するピストンリングの組付け治具であって、下部に、供給された複数のピストンリングを保持するマガジンの端部材と連結する連結部を備え、且つピストンリングの内径とほぼ等しい外径を備えた第１ストレート部と、この第１ストレート部に連続し、第１ストレート部の上方に向かって移動するピストンリングを拡径する第１テーパ部と、この第１テーパ部に連続し、第１テーパ部によって拡径したピストンリングの径をそのまま保持する第２ストレート部と、この第２ストレート部に連続し、第２ストレート部で保持していたピストンリングの径より更にピストンリングの径を拡径する第２テーパ部と、この第２テーパ部に連続し、第２テーパ部によって拡径したピストンリングの径をそのまま保持する第３ストレート部と、第１テーパ部の外面から第３ストレート部の外面に連ね、ピストンリングが拡径するのに伴い次第に離れるピストンリングの両端部の軌跡に倣って形成した両端部を径の内方に逃がす逃がし溝と、からなることを特徴とする。
【０００９】
請求項２に係る発明では、第１テーパ部は、第２テーパ部より長尺であることを特徴とする。
【００１０】
請求項３に係る発明では、第２テーパ部は、第３ストレート部より長尺であることを特徴とする。
【００１１】
請求項４に係る発明では、第１テーパ部の傾斜角をθ１とし、第２テーパ部の傾斜角をθ２としたときに、傾斜角θ２は、θ２≦θ１であることを特徴とする請求項１記載のピストンリングの組付け治具。
【発明の効果】
【００１２】
請求項１に係る発明では、第１ストレート部と、第１テーパ部と、第２ストレート部と、第２テーパ部と、第３ストレート部と、第１テーパ部の外面から第３ストレート部の外面に連ねた逃がし溝と、からなるので、ピストンリングを上方に向かって押出す過程において、径を増加させつつ移動するピストンリングの合い口の角が内方に入り込んでも、逃がし溝は、合い口の角を内方に逃がすので、合い口の角は第１テーパ部の外面から第３ストレート部の外面までの間で外面に干渉せず、合い口の角がピストンリングの押出しを妨げることは無くなる。従って、ピストンリングを拡径する際のピストンリングのゆがみを防止することができるという利点がある。
【００１３】
請求項２に係る発明では、第１テーパ部は、第２テーパ部より長尺である。
第１テーパ部を第２テーパ部より長尺にすると、ピストンリングの拡径を損なうことなく、組付け直前でのピストンリングの拡径の割合を少なくすることができ、カップから押出されて離れる時のピストンリングのゆがみを抑制することができるという利点がある。
第１テーパ部を第２テーパ部より短くすると、短い第１テーパ部によってピストンリングを拡径する力が短時間に加わり、ピストンリングにゆがみが起きやすくなる。
【００１４】
請求項３に係る発明では、第２テーパ部は、第３ストレート部より長尺である。
第２テーパ部を第３ストレート部より長尺にすると、押出す時間の点で、第３ストレート部を通過する時間の長さより通過する時間を長くすることができ、結果的に、ピストンリングを拡径する力を緩やかに加えることができる。従って、カップから押出されて離れる時のピストンリングのゆがみを抑制することができるという利点がある。
第２テーパ部を第３ストレート部より短くすると、ピストンリングを拡径する力が短時間に加わり、ピストンリングにゆがみが起きやすくなる。
【００１５】
請求項４に係る発明では、第１テーパ部の傾斜角をθ１とし、第２テーパ部の傾斜角をθ２としたときに、傾斜角θ２は、θ２≦θ１である。
θ２≦θ１に設定すると、ピストンリングを拡径する力を緩やかに加えることができ、カップから押出されて離れる時のピストンリングのゆがみを抑制することができるという利点がある。
θ２がθ１を超えると、カップから離れる直前でピストンリングを拡径する力が短時間に加わり、離れる時にピストンリングにゆがみが起きやすくなるとともに、ピストンリングの姿勢は不安定になりやすい。
【発明を実施するための最良の形態】
【００１６】
本発明を実施するための最良の形態を添付図に基づいて以下に説明する。なお、図面は符号の向きに見るものとする。
図１（ａ），（ｂ）は、本発明のピストンリングの組付け治具の対象となるピストンおよびピストンリングの説明図である。（ａ）はピストンおよびピストンリングの斜視図、（ｂ）はピストンリングを組付けたピストンの部分断面図である。
【００１７】
（ａ）において、ピストン１１は、外周面１２に形成した上段の溝であるリング溝１３と、中段の溝であるリング溝１４と、下段の溝であるリング溝１５と、ピストンピン孔１６と、頭部であるピストンヘッド１７と、ピストンスカート１８と、ピストンリング１９と、を備える。
【００１８】
ピストンリング１９は、上段のリング溝１３に組付ける第１のリングとしてのトップリング２１と、中段のリング溝１４に組付ける第２のリングとしてのセカンドリング２２と、下段のリング溝１５に組付ける第１サイドリング２３、オイルリング２４、第２サイドリング２５と、からなる。３１〜３５は各リング２１〜２５に形成した合い口を示す。
第１サイドリング２３と第２サイドリング２５は同じものである。Ｗａｒはオイルリング２４の組付け合い口幅で、オイルリング２４を組付ける際に拡げる合い口３４の幅である。
なお、合い口３１〜３５の位置を全て揃えて一致させたが、合い口３１〜３５の位置は任意である。
【００１９】
（ｂ）において、各リング２１〜２５の内径Ｄ１〜Ｄ５は、自由状態においてピストン１１の外径Ｄｐより小さい。
第１サイドリング２３の厚さｔ１は、トップリング２１やセカンドリング２２に比べて、薄く、ピストンリング組付け装置でピストン１１に組付ける際に、拡径すると弾性変形しやすい。
オイルリング２４の厚さｔ２は、第１サイドリング２３の厚さｔ１より薄く、ピストンリング組付け装置でピストン１１に組付ける際に、より弾性変形しやすい。
【００２０】
ピストン１１に各リング２１〜２５を組付ける際に、ピストンリングの組付け治具を用いるピストンリング組付け装置について次に説明する。
図２は、本発明のピストンリングの組付け治具を用いるピストンリング組付け装置の正面図である。
ピストンリング組付け装置４１は、架台４２と、架台４２に取付け、図右のピストン１１の頭部（ピストンヘッド）１７を下（矢印ｚ１の方向）にしてピストン１１を搬入する搬入コンベア４３と、ピストン１１を位置決めする位置決め装置４５と、架台４２に順に取付けたオイルリング組付けステーション４６と、第１サイドリング組付けステーション４７と、第２サイドリング組付けステーション４８と、第２のリング組付けステーション５１と、第１のリング組付けステーション５２と、架台４２の上部に配置してピストン１１をＹ軸方向にピッチＰだけ送るピストン移載装置５３と、ピストンリングを組付けたピストン１１を搬出する搬出装置５４と、これらを予め設定した条件に基づいて制御する制御装置（図に示していない。）と、を備える。
ピッチＰは、各ステーション４６ａ〜５２間のピッチでもある。
【００２１】
図右上の軸は、直線又は回転で動く方向を示す座標軸であり、Ｘ（図３参照）は水平な直線運動（図の表裏方向）を示す軸、ＹはＸに直交する軸、ＺはＸ，Ｙに直交する鉛直軸、ＣはＺ軸の周りの旋回運動を示す軸である。
【００２２】
位置決め装置４５は、搬入コンベア４３からピストン１１を持ち上げるピストン持ち上げ装置５５と、ピストン持ち上げ装置５５がＹ軸方向に運び、下降することで載せたピストン１１を更にＺ軸方向に上げる上昇手段５６と、上昇手段５６に載せてピストン１１をＣ軸方向に回転させ位置を決定するピストンＣ軸回転手段５７とからなる。５８は上昇手段５６の上昇位置を検出するピストン上昇検出手段を示す。
【００２３】
ピストン持ち上げ装置５５は、架台４２に第１Ｙ軸スライド機構６１（第１シリンダ６２を備える。）を取付け、第１Ｙ軸スライド機構６１に吊上げ機構６３を取付けたもので、ピストン１１を吊上げ機構６３の把持手段６４で矢印ｙ１の如く挟んだ後、吊上げ機構６３で矢印ｙ２の様に上昇し、引き続き、第１Ｙ軸スライド機構６１を矢印ｙ３の様にスライドさせ、把持手段６４はピストンＣ軸回転手段５７の回転台６６にピストン１１を載せ、第１Ｙ軸スライド機構６１で戻る。
【００２４】
第１サイドリング組付けステーション４７は、マガジン交換装置８６を介して取付けた第１サイドリング用ツインマガジン装置９３と、第１サイドリング用ツインマガジン装置９３に積層した第１サイドリング２３（図１参照）を押出すリング押出し装置９１と、リング押出し装置９１の上方に配置したピストンクランプ装置９２と、第３ピストンＹ軸移載手段７６と、からなる。
【００２５】
第２サイドリング組付けステーション４８は、マガジン交換装置８６を介して取付けた第２サイドリング用ツインマガジン装置９４と、第２サイドリング用ツインマガジン装置９４に積層した第２サイドリング２５（図１参照）を押出すリング押出し装置９１と、リング押出し装置９１の上方に配置したピストンクランプ装置９２と、第４ピストンＹ軸移載手段７７と、からなる。
【００２６】
第２のリング組付けステーション５１は、マガジン交換装置８６を介して取付けた第２のリング用ツインマガジン装置９５と、第２のリング用ツインマガジン装置９５に積層した第２のリング（セカンドリング）２２（図１参照）を押出すリング押出し装置９１と、リング押出し装置９１の上方に配置したピストンクランプ装置９２と、第５ピストンＹ軸移載手段７８と、からなる。
【００２７】
第１のリング組付けステーション５２は、マガジン交換装置８６を介して取付けた第１のリング用ツインマガジン装置９６と、第１のリング用ツインマガジン装置９６に積層した第１のリング（トップリング）２１（図１参照）を押出すリング押出し装置９１と、リング押出し装置９１の上方に配置したピストンクランプ装置９２と、第６ピストンＹ軸移載手段７９と、からなる。
【００２８】
第１サイドリング組付けステーション４７の動作の概要を次に説明する。
図３は、本発明のピストンリングの組付け治具を用いる第１サイドリング組付けステーションの概要動作説明図である。図２の３−３線断面に相当する。
第１サイドリング組付けステーション４７では、予め後退限位置１１１で第３・第４マガジン装置１２２，１２３に第１サイドリング２３・・・（・・・は複数を示す。以下同様。）を嵌めつつ枚数Ｎｓを積層することで、供給を済ませる。
【００２９】
その次に、制御装置の「開始ボタン」を押すと、予め設定した条件に基づいてマガジン交換装置８６は前進限位置１１２まで移動（Ｘ軸方向）し、第３マガジン装置１２２に向けて第３ピストンＹ軸移載手段７６が移動（Ｙ軸方向）し、オイルリング２４付きのピストン１１を載せる。
【００３０】
続けて、ピストンクランプ装置９２がピストン１１をクランプするとともに、リング押出し装置９１が矢印ｚ２のように上昇を開始し、ピストン１１に第１サイドリング２３を組付ける。リング押出し装置９１がストロークＳｓだけ上昇して第３マガジン装置１２２に供給した第１サイドリング２３を全て組付け、無い状態になると、リング押出し装置９１は矢印ｚ３のように下降し、マガジン交換装置８６は、後退限位置１１１で旋回した後、前進限位置１１２まで前進する。
【００３１】
引き続き、稼働位置１１３に位置する第４マガジン装置１２３から同様に第１サイドリング２３を押出しながら組付ける。
第１サイドリング２３を組付け終えたピストン１１は第４ピストンＹ軸移載手段７７によって第２サイドリング組付けステーション４８（図２参照）へ移載される。
【００３２】
引き続き、残りの組付けステーション４８，５１，５２で残りのリング２５，２２，２１を第１サイドリング組付けステーション４７と同様に組付けると、１個目のピストンリングの組付けは完了する。連続して、２個目以降の組付けが続く。
【００３３】
図４は、本発明のピストンリングの組付け治具を備える第３マガジン装置の斜視図である。
第３マガジン装置１２２は、マガジン嵌合台１７１（図３参照）に下の端部材２０３をボルト１９４・・・で一体的に取付けることで、マガジン嵌合台１７１にベース部材２０２を固定し、両端の端部材２０３，２０４にガイドバー２０５・・・をそれぞれピストン１１の径方向（矢印ａ２，ａ２の方向）にスライド可能に嵌め、ガイドバー２０５・・・に外径設定バー２０７・・・の両端２０６，２０６側を取付け、端部材２０３，２０４に軸線方向（Ｚ軸方向）にスライド可能に中央ロッド２１４を嵌合した。
【００３４】
また、第３マガジン装置１２２は、中央ロッド２１４の押し端面２１３を、組付け治具であるところのカップ２９５の基準部３０３で、原点復帰スプリング２１９および引張りばね部材２２３・・・に抗して押し下げる（矢印ｚ７の方向）と、拡径カム部材２１５，２１５によってレバ２１８・・・が径外方（矢印ａ４・・・方向）にスライドするので、外径設定バー２０７・・・は径外方（矢印ａ４・・・方向）に動き、外径設定バー２０７，２０７間の距離Ｌｄで形成する第３マガジン装置１２２の外径Ｄｍｒ（Ｄｍｒ＝Ｌｄ）は増加する。
【００３５】
原点は、図４に示す状態であり、端部材２０４から中央ロッド２１４の押し端面２１３が距離Ｈｍだけ突出した位置であり、且つ、第３マガジン装置１２２の径が最小の径Ｄｎを形成する外径設定バー２０７・・・の位置である。外径Ｄｍｒは、Ｄｎから最大まで変化する。
【００３６】
また、第３マガジン装置１２２は、ベース部材２０２にサイドリング合い口ガイド部材３０１を結合部材２３９・・・で取付けたものである。サイドリング合い口ガイド部材３０１は、一方の先端にテーパガイド部３０２を形成した。
サイドリング合い口ガイド部材３０１の幅をＷｇｓに設定した。幅Ｗｇｓは、第１サイドリング２３（図１参照）が自由状態のときの合い口３３（図１参照）の幅Ｗ１とほぼ同じである。
【００３７】
カップ２９５、ピストン高さ調節手段２３２の取付けを簡単に説明する。
第１サイドリング２３（図１参照）を供給する場合は、カップ２９５を取付けない。
第１サイドリングを組付ける場合は、カップ２９５を取付けるとともに、カップ２９５内にピストン高さ調節手段２３２を置く。
【００３８】
カップ２９５は、上の端部材２０４に着脱可能に連結するために形成した連結部２２５を備え、連結部２２５は、中央に基準凹部２５１を端部材２０４に嵌合するように形成し、この基準凹部２５１に連ねて４箇所に切り欠き部２５２・・・をそれぞれの外径設定バー２０７・・・に干渉しないように形成し、切り欠き部２５２，２５２に凹部２２６，２２６を掛止部材２２８に掛止可能に形成し、基準凹部２５１に凹部２２７（図５参照），２２７を止め部材２３１に掛止可能に形成した部位である。
なお、基準凹部２５１に連ねて基準部３０３を深さＨ１に形成した。
【００３９】
更に、カップ２９５は、他方２３３に形成したピストン嵌合部２３４を備え、ピストン嵌合部２３４は、ヘッドセット部２５３をピストン１１の外径Ｄｐより僅かに大きい内径で形成し、ヘッドセット部２５３に連ねて高さ調節手段セット部２５４をピストン高さ調節手段２３２に対応した深さで形成した部位である。３１５は逃がし溝を示す。
【００４０】
ピストン高さ調節手段２３２は、ピストンヘッド１７（図１参照）を直接載せるヘッド載せ部材２５５と、ヘッド載せ部材２５５の中央に取付けた調節部材２５６とからなる。ヘッド載せ部材２５５には、めねじ２５７および工具掛け孔２５８・・・を開けた。調節部材２５６は、めねじ２５７に対応したおねじ２６１を形成し、おねじ２６１に溝２６２を形成し、溝２６２の間を狭める回り止めねじ孔２６３を形成し、中央に工具掛け六角孔２６４を開け、ピストン１１（図１参照）の高さを位置決めする。
【００４１】
図５（ａ），（ｂ）は、本発明のピストンリングの組付け治具の説明図であり、（ａ）は正面図、（ｂ）は（ａ）のｂ−ｂ線断面図である。
（ａ）において、組付け治具であるところのカップ２９５は、下部（一方）２２４に、供給された複数のピストンリングとしての第１サイドリング２３を保持する第３マガジン装置１２２が有する端部材２０４と連結する連結部２２５を備え、且つピストンリング（第１サイドリング）２３の内径Ｄ３（図１参照）とほぼ等しい外径Ｄｓ１を備えた第１ストレート部３０５と、この第１ストレート部３０５に連続し、第１ストレート部３０５の上方（矢印ｚ８の方向）に向かって移動するピストンリング（第１サイドリング）２３を内径Ｄｕ１（Ｄｕ１＞Ｄ３）まで拡径する第１テーパ部３０６と、この第１テーパ部３０６に連続し、第１テーパ部３０６によって拡径したピストンリング（第１サイドリング）２３の径Ｄｕ１をそのまま保持する第２ストレート部３０７を備える。
【００４２】
更に、カップ２９５は、第２ストレート部３０７に連続し、第２ストレート部３０７で保持していたピストンリング（第１サイドリング）２３の径Ｄｕ１より更にピストンリング（第１サイドリング）２３の径をＤｕ２（Ｄｕ２＞Ｄｕ１）まで拡径する第２テーパ部３０８と、この第２テーパ部３０８に連続し、第２テーパ部３０８によって拡径したピストンリング（第１サイドリング）２３の径Ｄｕ２をそのまま保持する第３ストレート部３１１と、第１テーパ部３０６の外面３１２から第３ストレート部３１１の外面３１３に連ね、ピストンリング（第１サイドリング）２３が拡径するのに伴い次第に離れるピストンリング（第１サイドリング）２３の両端部としての合い口３３（図１参照）の軌跡に倣って形成した両端部（合い口）３３を径の内方に逃がす逃がし溝３１５と、を備える。
【００４３】
内径Ｄｕ１，Ｄｕ２は、拡径したときに、真円とならないピストンリング（第１サイドリング）２３の径であり、ある一部の径である。
「ピストンリング」は、第１サイドリング２３以外に、トップリング２１、セカンドリング２２、第２サイドリング２５である。
「マガジン」は、図１の第１サイドリング組付けステーション４７と、第２サイドリング組付けステーション４８と、第２のリング組付けステーション５１と、第１のリング組付けステーション５２とがそれぞれ備える第３マガジン装置１２２および第４マガジン装置１２３である。
【００４４】
第１テーパ部３０６は、第２テーパ部３０８より長尺である。具体的には、第１テーパ部３０６は長さをＬ１で形成した部位であり、第２テーパ部３０８は長さをＬ２で形成した部位であり、長さＬ１は、Ｌ１＞Ｌ２である。
【００４５】
第２テーパ部３０８は、第３ストレート部３１１より長尺である。具体的には、第３ストレート部３１１は長さをＬ３で形成した部位であり、長さＬ２は、Ｌ２＞Ｌ３である。
【００４６】
第１テーパ部３０６の傾斜角をθ１とし、第２テーパ部３０８の傾斜角をθ２としたときに、傾斜角θ２は、θ２≦θ１である。
【００４７】
（ｂ）において、逃がし溝３１５の位置（Ｃ軸方向の角度）は、カップ２９５に取付けたサイドリング合い口ガイド部材３０１の位置（Ｃ軸方向の角度）に一致させた。
逃がし溝３１５は、幅をＷｅ、深さをＢに設定した溝である。
【００４８】
以上に述べたピストンリングの組付け治具の作用を次に説明する。
図６は、本発明のピストンリングの組付け治具の第１作用図である。図１、図３、図５を併用して説明する。
第３マガジン装置１２２を稼働位置１１３へ移動させた後、リング押出し装置９１が備えるリング上昇機構１３３で、厚さがｔ１でトップリング２１やセカンドリング２２に比べて、薄く、ピストン１１に組付ける際に、拡径すると弾性変形しやすい第１サイドリング２３・・・を押し上げると、第１サイドリング２３・・・はカップ２９５の第１テーパ部３０６で拡径され、引き続き、第２テーパ部３０８で拡径され、最後に第３ストレート部３１１を通過して組付けられる。
【００４９】
この過程において、径を増加させつつ移動する第１サイドリング２３の合い口３３の角３１７，３１７は内方（矢印ａ６，ａ６の方向）に入り込むが、逃がし溝３１５は、合い口３３の角３１７，３１７を内方（矢印ａ６，ａ６の方向）に逃がすので、合い口３３の角３１７，３１７は第１テーパ部３０６の外面３１２から第３ストレート部３１１の外面３１３までの間で外面に干渉せず、合い口３３の角３１７，３１７が第１サイドリング２３・・・の押出しを妨げることは無くなる。従って、第１サイドリング２３・・・を拡径する際の第１サイドリング２３のゆがみを防止することができる。
【００５０】
このように、カップ２９５では、逃がし溝３１５によって第１サイドリング２３・・・を拡径する際の第１サイドリング２３のゆがみを防止するので、カップ２９５から押出されて離れる時の第１サイドリング２３の形状並びに姿勢は安定し、リング溝１５に組付けたオイルリング２４とリング溝１５との間に第１サイドリング２３をより確実に組付けることができる。
【００５１】
カップ２９５では、第１テーパ部３０６の外面３１２から第３ストレート部３１１の外面３１３に連ね、第１サイドリング２３が拡径するのに伴い次第に離れる第１サイドリング２３の両端部としての合い口３３の軌跡に倣って合い口３３を径の内方に逃がす逃がし溝３１５を形成したので、構造は簡単である。
【００５２】
図７（ａ），（ｂ）は、本発明のピストンリングの組付け治具の第２作用図である。
（ａ）において、リング押出し装置９１が備えるリング上昇機構１３３の分割円環１８４で、厚さがｔ１でトップリング２１やセカンドリング２２に比べて、薄く、ピストン１１に組付ける際に、拡径すると弾性変形しやすい第１サイドリング２３・・・を矢印ｚ１６のように押し上げつつ第１テーパ部３０６によって内径Ｄｕ１（Ｄｕ１＞Ｄ３）まで拡径（矢印ａ７，ａ７の方向）すると、第１サイドリング２３にゆがみ３１８が起きることがある。
【００５３】
（ｂ）において、ゆがみ３１８の起きた第１サイドリング２３が第２ストレート部３０７に達すると、第２ストレート部３０７は第１サイドリング２３の内径をＤｕ１を保ちつつ上に導くだけなので、ゆがみ３１８は除去される。
同様に、第２テーパ部３０８で第１サイドリング２３に起きたゆがみ３１８を第３ストレート部３１１によって第１サイドリング２３から取り除くことができる。
従って、第１サイドリング２３・・・を拡径する際の第１サイドリング２３のゆがみを防止することができる。
【００５４】
このように、カップ２９５では、第２ストレート部３０７および第３ストレート部３１１によって第１サイドリング２３・・・を拡径する際の第１サイドリング２３のゆがみを防止するので、カップ２９５から押出されて離れる時の第１サイドリング２３の形状並びに姿勢は安定し、リング溝１５に組付けたオイルリング２４とリング溝１５との間に第１サイドリング２３をより確実に組付けることができる。
【００５５】
図５に示すように、第１テーパ部３０６は、第２テーパ部３０８より長尺である。
第１テーパ部３０６を第２テーパ部３０８より長尺にすると、第１サイドリング２３の拡径を損なうことなく、組付け直前での第１サイドリング２３の拡径の割合を少なくすることができ、カップ２９５から押出されて離れる時の第１サイドリング２３のゆがみを抑制することができる。
第１テーパ部３０６を第２テーパ部３０８より短くすると、第１サイドリング２３を拡径する力が短時間に加わり、第１サイドリング２３にゆがみが起きやすくなる。
【００５６】
第２テーパ部３０８は、第３ストレート部３１１より長尺である。
第２テーパ部３０８を第３ストレート部３１１より長尺にすると、押出す時間の点で、第３ストレート部３１１を通過する時間の長さより通過する時間を長くすることができ、結果的に、第１サイドリング２３を拡径する力を緩やかに加えることができる。従って、カップ２９５から押出されて離れる時の第１サイドリング２３のゆがみを抑制することができる。
第２テーパ部３０８を第３ストレート部３１１より短くすると、第１サイドリング２３を拡径する力が短時間に加わり、第１サイドリング２３にゆがみが起きやすくなる。
【００５７】
第１テーパ部３０６の傾斜角をθ１とし、第２テーパ部３０８の傾斜角をθ２としたときに、傾斜角θ２は、θ２≦θ１である。
θ２≦θ１に設定すると、第１サイドリング２３を拡径する力を緩やかに加えることができ、カップ２９５から押出されて離れる時の第１サイドリング２３のゆがみを抑制することができる。
θ２がθ１を超えると、カップ２９５から離れる直前で第１サイドリング２３を拡径する力が短時間に加わり、離れる時に第１サイドリング２３にゆがみが起きやすくなるとともに、第１サイドリング２３の姿勢は不安定になりやすい。
【産業上の利用可能性】
【００５８】
本発明のピストンリングの組付け治具は、ピストンリングの組付に好適である。
【図面の簡単な説明】
【００５９】
【図１】本発明のピストンリングの組付け治具の対象となるピストンおよびピストンリングの説明図
【図２】本発明のピストンリングの組付け治具を用いるピストンリング組付け装置の正面図
【図３】本発明のピストンリングの組付け治具を用いる第１サイドリング組付けステーションの概要動作説明図
【図４】本発明のピストンリングの組付け治具を備える第３マガジン装置の斜視図
【図５】本発明のピストンリングの組付け治具の説明図
【図６】本発明のピストンリングの組付け治具の第１作用図
【図７】本発明のピストンリングの組付け治具の第２作用図
【図８】従来の技術の基本構成を説明する図
【符号の説明】
【００６０】
１１…ピストン、２３…ピストンリング（第１サイドリング）、３３…両端部（合い口）、１２２…マガジン装置（第３マガジン装置）、２０４…端部材、２２４…下部（一方）、２２５…連結部、２９５…組付け治具（カップ）、３０５…第１ストレート部、３０６…第１テーパ部、３０７…第２ストレート部、３０８…第２テーパ部、３１１…第３ストレート部、３１２…第１テーパ部の外面、３１３…第３ストレート部の外面、３１５…逃がし溝、Ｄ３…ピストンリング（第１サイドリング）の内径、Ｄｓ１…等しい外径。
【図１】
2006043831.tif 000003
【図２】
2006043831.tif 000004
【図３】
2006043831.tif 000005
【図４】
2006043831.tif 000006
【図５】
2006043831.tif 000007
【図６】
2006043831.tif 000008
【図７】
2006043831.tif 000009
【図８】
2006043831.tif 000010